(57)【要約】【技術課題】  ピザケースの出し入れが簡単にできると共に持ち帰るときにピザが動いたりせず、何回でも使用できるピザ用持ち帰りバッグを提供すること。【解決手段】  平面視四角形のバッグ本体１の一辺に沿って開口部６を形成すると共にこの開口部６及び反対側に手さげ紐９、９ａ及び１２を取付ける。開口部６からバッグ本体１内にピザケースａを挿入した上で、前記手さげ紐９、９ａ及び１２をバッグ本体１の上方に引き寄せて双方の紐９、９ａ、１２を握って又は一方を他の輪内に通すなどしてここを持って持ち帰る。【選択図】図１
2010194038.tif 000002
【特許請求の範囲】
【請求項１】
平面視四角形のバッグ本体の一辺に沿って開口部を形成し、この開口部の対向する縁部にそれぞれ口側手さげ紐又はバンドを取り付けると共に前記開口部と反対側の底側にも手さげ紐又はバンドを取付け、前記開口部からバッグ本体内に水平にピザケースを挿入した上で、前記開口部側と底側の手さげ紐又はバンドをバッグ本体の上方に引き寄せて双方の紐又はバンドを握って又は一方を他の輪内に通すなどして持ち帰り可能に構成したことを特徴とするピザ用持ち帰りバッグ。
【請求項２】
請求項１に記載のバッグ本体及び紐又はバンドは、合成繊維を用いた不織布で構成されていることを特徴とするピザ用持ち帰りバッグ。
【請求項３】
請求項１に記載のバッグ本体の表皮の中央には、把手用バンドが取付けられていることを特徴とするピザ用持ち帰りバッグ。
【請求項４】
請求項１に記載のバッグ本体の底側手さげ紐又はバンドが取付けられている側には、この手さげ紐又はバンドを収容しておくためのポケットが設けられていることを特徴とするピザ用持ち帰りバッグ。
【請求項５】
請求項１に記載のバッグ本体の開口部には、この開口部を覆うフラップが取り付けられていることを特徴とするピザ用手さげバッグ。
【請求項６】
請求項１に記載のバッグ本体の開口部には、閉塞手段が取付けられていることを特徴とするピザ用持ち帰りバッグ。
【請求項７】
請求項６に記載の閉塞手段としてスライドファスナー又は面ファスナー又はホックが用いられていることを特徴とするピザ持ち帰り用バッグ。
【請求項８】
請求項１に記載のバッグ本体には、保温材が張り合わされていることを特徴とするピザ用持ち帰りバッグ。
【請求項９】
請求項１に記載のバッグ本体には、防水性が付与されていることを特徴とするピザ持ち帰り用バッグ。
【請求項１０】
請求項１に記載のバッグ本体の内部には、ピザケース又はその他の収納物を固定するための固定バンドが取付けられていることを特徴とするピザ用持ち帰りバッグ。
【発明の詳細な説明】
【技術分野】
【０００１】
本発明は、偏平なケースに収納されたピザを持ち帰る際に使用するバッグに関するもの  である。
【背景技術】
【０００２】
ピザの場合、その形状は偏平であることから、その持ち帰り用の場合には、ピザの大きさに合わせた高さが４ｃｍで２８ｃｍあるいは４０ｃｍ四方等の偏平な紙ケース内に水平にして収納し、このケースごと水平な状態で持ち帰ることになる。
【０００３】
そこで、従来は、ピザを入れたケースの大きさに合わせた四角形の底を有するプラスチックフィルム製又は紙袋の手さげ袋が持ち帰り用に用いられている。
この例として、実用新案登録第３０９０７５８号公報には、物品の大きさが物品収容部と同じ程度であっても物品の挿入操作が容易で入れやすく、物品を挿入した後、開口の封止が容易で且つ開口を完全に封止することができ、内容物が開口から外に飛び出したり、袋の内部にゴミが入ることを防止することができる袋として、開口部を有する袋状の物品収容部と、該物品収容部に連設された取っ手部とを具備し、前記開口部は、袋の使用時に前記物品収容部の側部となる部位に設けられており、前記取っ手部は、使用時に前記物品収容部をほぼ水平状態に維持できるように設けられた袋が紹介されている。
【先行技術文献】
【特許文献】
【０００４】
実用新案登録第３０９０７５８号公報
【発明の概要】
【発明が解決しようとする課題】
【０００５】
しかしながら、上記従来の手さげ袋の場合、袋の底は丁度ピザケースが収まる大きさとなっていて、遊びがないことから、ピザケースの出し入れがしにくいという問題がある。
【０００６】
また、ピザの場合、その大きさには何種類かあり、このピザの大きさごとにケースの大きさが定まっているため、このピザケースの大きさごとに大きさの違う袋を用意する必要がある。
また、従来の手さげ袋の場合は、ピザ専用となっていて、使い捨てのものであることから、省資源の観点から改善すべき点がある。
【０００７】
本発明は、以上の如き点に鑑みて提供されるものであって、その第一の課題は、ピザケースを簡単に出し入れすることができるピザ用持ち帰りバッグを提供することである。
【０００８】
更に第二の課題は、一種類の大きさのバッグで大きさの違うピザケースを収容することができるばかりでなく、ピザケースを二段三段に重ねて持ち帰りすることができるピザ用持ち帰りバッグを提供することである。
【０００９】
更に第三の課題は、使い捨てではなく、何回でも使用することができると共にショッピングバッグとしても使用可能なピザ用持ち帰りバッグを提供することである。
【課題を解決するための手段】
【００１０】
上記課題を解決するために、請求項１に記載の本発明は、ピザ用持ち帰りバッグにおいて、平面視四角形のバッグ本体の一辺に沿って開口部を形成し、この開口部の対向する縁部にそれぞれ口側手さげ紐又はバンドを取り付けると共に前記開口部と反対側の底側にも手さげ紐又はバンドを取付け、前記開口部からバッグ本体内に水平にピザケースを挿入した上で、前記開口部側と底側の手さげ紐又はバンドをバッグ本体の上方に引き寄せて双方の紐又はバンドを握って又は一方を他の輪内に通すなどして持ち帰り可能に構成したことを特徴とするものである。
【００１１】
また、請求項２に記載のピザ用持ち帰りバッグは、請求項１に記載のピザ用持ち帰りバッグにおいて、バッグ本体及び紐又はバンドは、合成繊維を用いた不織布で構成されていることを特徴とするものである。
この発明によると、製造コストを安くできる。
【００１２】
また、請求項３に記載のピザ用持ち帰りバッグは、請求項１に記載のピザ用持ち帰りバッグにおいて、バッグ本体の表皮の中央には、把手用バンドが取付けられていることを特徴とするものである。
この発明によると、ピザケースを多段に重ねた際に持ち帰り易い。
【００１３】
また、請求項４に記載のピザ用持ち帰りバッグは、請求項１に記載のバッグ本体の底側手さげ紐又はバンドが取付けられている側には、この手さげ紐又はバンドを収容しておくためのポケットが設けられていることを特徴とするものである。
この発明によると、底側手さげ紐又はバンドを用いていない場合には、ぶらついたりしないようにできる。
【００１４】
また、請求項５に記載のピザ用持ち帰りバッグは、請求項１に記載のバッグ本体の開口部には、この開口部を覆うフラップが取り付けられていることを特徴とするものである。
この発明によると、バッグ内に埃等が侵入するのを阻止できる。
【００１５】
また、請求項６に記載のピザ用持ち帰りバッグは、請求項１に記載のバッグ本体の開口部には、閉塞手段が取付けられていることを特徴とするものである。
この発明によると、中からピザケースがズリ落ちるのを阻止できる。
【００１６】
また、請求項７に記載のピザ用持ち帰りバッグは、請求項６に記載の閉塞手段としてスライドファスナー又は面ファスナー又はホックが用いられていることを特徴とするものである。
【００１７】
また、請求項８に記載のピザ用持ち帰りバッグは、請求項１のバッグ本体には、保温材が張り合わされていることを特徴とするものである。
この発明によると、ピザを温かい状態で家まで持ち帰ることができる。
【００１８】
また、請求項９に記載のピザ用持ち帰りバッグは、請求項１のバッグ本体には、防水性が付与されていることを特徴とするものである。
この発明によると、降雨時にバッグ本体内のピザケースが濡れたりしない。
【００１９】
また、請求項１０に記載のピザ用持ち帰りバッグは、請求項１のバッグ本体の内部には、ピザケース又はその他の収納物を固定するための固定バンドが取付けられていることを特徴とするものである。
この発明によると、ピザケースやその他の物品を収納したときに動かないように固定することができる。
【発明の効果】
【００２０】
本発明は、バッグ本体をピザケースの一番大きなものに合わせて製作しておくことにより、大きなものから小さなものまで一つのバッグで対応することができると共にバッグの開口部を水平方向に設けておくことにより、ピザを傷めることなくケースの出し入れを簡単に行うことができる。
【００２１】
また、手さげ紐又はバンドがバッグ本体において開口部とこの反対側の底側に設けてあり、この双方を引き寄せて手に持つ構成としたことにより、バッグ本体内に収容されたピザケースは手さげ紐又はバンドを持ったときにバッグ本体により絞り込まれるようにして押さえつけられることから、持ち歩き時に振動でずれ動くこともなく、ケース内のピザを傷める心配がない。
【００２２】
また、本発明のピザ用持ち帰りバッグは、開口部側を上にして口側手さげ紐又はバンドを持つことにより、通常のショッピングバッグとしても利用することができる。
【００２３】
また、本発明のピザ用持ち帰りバッグは、不織布を用いることにより、コストが安く、それでいて繰り返し使用することができるため、省資源的であり、本発明のピザ用持ち帰りバッグを持参してピザを買いに来た顧客に対しては値引き等のサービスを行うことにより、ピザ販売の促進を図ることができる。
【図面の簡単な説明】
【００２４】
【図１】実施例１のバッグを立てて斜め上方から見た時の説明図である。
【図２】実施例１のバッグ内に大、小のピザケースを二段に重ねて収容した状態の説明図である。
【図３】図２に示したバッグにおいて、手さげ紐を組み合わせて持ち帰る状態の一例を示す説明図である。
【図４】図２に示したバッグにおいて、把手用バンドを用いて持ち帰る状態の一例を示す説明図である。
【図５】バッグ本体の開口部の閉塞手段を示すもので、（ａ）は面ファスナーを用いた場合、（ｂ）はホックを用いた場合の説明図である。
【図６】実施例２のバッグの説明図である。
【図７】図６に示したバッグにおいて、ピザケースを一ケ収容して持ち帰る状態の説明図である。
【図８】図６に示したバッグをショッピングバッグとして用いている状態の説明図である。
【符号の説明】
【００２５】
１．バッグ本体
６．開口部
９、９ａ．口側手さげ紐
１０.把手用バンド
１２．底側手さげ紐
１３．ポケット
ａ．  ピザケース
【発明を実施するための形態】
【００２６】
本発明は、偏平な形状のピザをこれも偏平なケース内に収容した状態で持ち帰りするときに用いるバッグであって、持ち帰り時にピザを損傷したりすることがないように、あくまでピザを水平に保って持ち帰ることができる点に特徴がある。
【００２７】
また、ピザケースをバッグ内に出し入れするのが簡単であって、何回でもピザバッグとして、あるいはショッピングバッグとして利用できる点に特徴がある。
【００２８】
バッグの材質は、基本的には柔軟性を有し、破れにくい材質であることが条件であり、また、コストの面から見て不織布、紙、布、樹脂フィルム等が考えられる。
【００２９】
また、ピザを温かくして持ち帰るために、バッグに保温性能を付与することが考えられる。このためには、断熱性に優れた材料でバッグを作るか、不織布等と張り合わせた複合材でバッグを製作することが考えられる。
【００３０】
バッグの大きさは、ピザケース１ケ分であっても良いが、２〜３ケが入る大きさとすることが望ましく、ある程度大きさがあると、ピザ以外にショッピングバッグとして利用するときにも便利となる。
【００３１】
ピザの持ち帰りにおいて、降雨時にはバッグが濡れてしまうことも考えられるため、防水加工等を施しておくのも良い。
【実施例１】
【００３２】
図１〜図５に基づいて本発明に係るピザ用持ち帰りバッグの実施例を詳細に説明する。符号の１はバッグ本体であって、このバッグ本体１は合成繊維で作られた不織布を用いて平面視四角形に形成されていて、周側の一部にはピザ出し入れ用の開口部６が形成されている。そして、この開口部６の内側には開口部６を覆うようにフラップ１１、１１ａが取付けられていて、ピザケースは、このフラップ１１、１１ａを分けて中に挿入したり、取り出したりすることができる。
【００３３】
９、９ａは開口部６において、表皮２と裏皮３に取り付けられた口側手さげ紐、１２は開口部６と反対側の底面４において、裏皮３に近いところに取付けられた底側手さげ紐、１３は底面４に取付けられた底側手さげ用１２を収納しておくためのポケット、１０は表皮２の中央面に取付けられた把手用バンドである。なお、底側手さげ紐１２は、実施例では輪状であるが、リボン状に２本構成となし、結んで使用したり、この底側手さげ紐１２を利用しないときには、リボン結びとしてデザイン上のアクセントに使用するようにしても良い。
【００３４】
上記構成のバッグ本体１内にピザケースａを収容して持ち帰るときは、図２に示すように、バッグ本体１を横にして、開口部６から中にピザケースａを挿入する。本実施例では、大小２ケのピザケースａが二段に重ねて挿入されている。
【００３５】
図３は、口側手さげ紐９、９ａと底側手さげ紐１２をバッグ本体１の上方に引き寄せて口側手さげ紐９、９ａを底側手さげ紐１２の輪内に通してバッグ本体１を絞り込むようにして上方に引き出し、この部分を手に持って持ち帰るときの様子を示したもので、ピザケースａは水平が保たれ、然も絞り込みの作用でバッグ本体１内において固定される。このようにして持ち帰るのが基本であるが、ピザケースが三段となったような場合には、図４に示すように把手用バンド１０を持って下げるようにしても良い。この様に持ち帰り時における口側手さげ紐９、９ａと底側手さげ紐１２及び把手用バンド１０の持ち方は任意である。
【００３６】
なお、図１、図２に示したバッグの場合、開口部６にはフラップ１１、１１ａがあるのみで、強制閉塞手段を取り付けていないが、図４に示すように、スライドファスナー１５とか、図５（ａ）に示すように面ファスナー１６、あるいは図５（ｂ）に示すようにホック１７を用いて開口部６を強制的に閉塞しても良く、本発明において、この閉塞手段は任意である。
【実施例２】
【００３７】
本実施例２は、図６に示すように、バッグ本体１の表皮２の中央から把手用バンド１０を無くしたもので、この把手用バンド１０を無くした構成のピザ用持ち帰りバッグは、図７に示すように１ケのピザケースａを収納して持ち帰るときなどに便利であると共に図８に示すようにショッピングバッグとしても使用しやすい。
【００３８】
図６において、１８、１８ａは、バッグ本体１内に取り付けられた固定バンドであって、ピザケースａが動かないようにこのバンド１８、１８ａを用いて固定したり、あるいは図８に示すようにショッピングバッグとして利用するときに、例えば瓶の様なものが中で倒れたりしないように固定するときに用いる。バンド１８、１８ａの固定手段は面ファスナー、ホック、バックルあるいは結び紐状としても良い。
【００３９】
なお、図６〜図８において、図１〜図５と同一の符号は実施例１及び図１〜５で説明したものと同一のものを指しており、説明の重複を避けるためにここでの説明は省略する。
【産業上の利用可能性】
【００４０】
１．ピザ用持ち帰りバッグ
２．ケーキ用持ち帰りバッグ
３．倒したり傾けてはならない容器入り飲食物、菓子用持ち帰りバッグ
４．ショッピングバッグ
【図１】
2010194038.tif 000003
【図２】
2010194038.tif 000004
【図３】
2010194038.tif 000005
【図４】
2010194038.tif 000006
【図５】
2010194038.tif 000007
【図６】
2010194038.tif 000008
【図７】
2010194038.tif 000009
【図８】
2010194038.tif 000010